(57)【要約】  【課題】肩こり用のシート型の磁気パッドを提供すること。  【解決手段】本発明にかかる磁気肩パッドは、肩に装着して使用するシート状の肩パッドであって、肩に装着したとき、肩に沿った湾曲状態で断面形状を保持する形状保持手段と、肩に装着したとき、肩の筋肉に向かう磁界を形成する磁界形成手段とを備えている。前記磁気肩パッドの磁界形成手段は、少なくとも鎖骨の周囲に磁界を及ぼすように形成されている。【選択図】      図１
2007082899.tif 000002
【特許請求の範囲】
【請求項１】
肩に装着して使用するシート状の磁気肩パッドであって、
肩に装着したとき、肩に沿った湾曲状態で断面形状を保持する形状保持手段と、
肩に装着したとき、肩の筋肉に向かう磁界を形成する磁界形成手段と、
を備えたことを特徴とする磁気肩パッド。
【請求項２】
前記磁界形成手段は、少なくとも鎖骨の周囲に磁界を及ぼすように形成されていることを特徴とする請求項１に記載の磁気肩パッド。
【請求項３】
肩に装着したとき、肩に粘着する粘着手段を備えたことを特徴とする請求項１または２の何れか１項に記載の肩当てパッド。
【発明の詳細な説明】
【技術分野】
【０００１】
本発明は、肩こり用の磁気パッドに関するものである。
【背景技術】
【０００２】
従来より、肩や首筋に張り付けて磁気治療効果を得るために、粒子状の磁石と粘着シートとからなる磁気治療具があった。
【発明の開示】
【発明が解決しようとする課題】
【０００３】
ところが、上述したような従来の磁気治療具では、肩こりのような広い面積に対しては、たくさん張り付けなければならないという問題と、粒子状の磁石では強力な磁力を得にくいという問題があった。
このような問題のために、従来の磁気治療具では、重い肩こりには効果的ではないという問題があった。
【０００４】
そこで、本発明は、広い面積に磁気治療効果を及ぼすことのできる肩こり用のシート型の磁気パッドを提案するものである。
【課題を解決するための手段】
【０００５】
本発明にかかる請求項１の磁気肩パッドは、
肩に装着して使用するシート状の肩パッドであって、
肩に装着したとき、肩に沿った湾曲状態で断面形状を保持する形状保持手段と、
肩に装着したとき、肩の筋肉に向かう磁界を形成する磁界形成手段と、
を備えている。
請求項２の磁気肩パッドは、
磁界形成手段は、少なくとも鎖骨の周囲に磁界を及ぼすように形成されている。
請求項３の磁気肩パッドは、
肩に装着したとき、肩に粘着する粘着手段を備えている。
【発明の効果】
【０００６】
本発明にかかる請求項１の磁気肩パッドによれば、
肩に装着したとき、肩に沿った湾曲状態で断面形状を保持するので、肩の曲面に応じた形状を形成し、肩の筋肉に向かって磁界を形成するので、肩こりが発生している肩の筋肉の広い面積に磁気治療効果を及ぼすことができる。
したがって、従来の磁気治療具で効果が得られなかったような重い肩こりでも、顕著な効果が得られる。
請求項２の磁気肩パッドでは、少なくとも鎖骨の周囲に磁界を及ぼすので、鎖骨の周囲の肩こりに効果的である。
請求項３の磁気肩パッドでは、
肩に装着したとき、肩に粘着する粘着手段を備えているので、直接肌に装着して強い磁気治療効果を得るとともに、肩を動かしてもずれることがない。
【発明を実施するための最良の形態】
【０００７】
以下に、本発明にかかる磁気肩パッドを、その実施の形態を示した図面に基づいて詳細に説明する。
図１は、本発明の磁気肩パッドを両肩に装着した状態を背中側から見た斜視図である。この図１において、１は右肩用の磁気肩パッドであり、左肩用の磁気肩パッド１Ｌと対称形状となっている。使用状態においては、図１に示したように、使用状態においては、断面形状は肩の曲面に応じた湾曲状態となっており、湾曲状態で断面形状を保持するための形状保持手段としてのステンレス板２、２Ｌが内装されている。
【０００８】
図２には右側用の磁気肩パッドの平面形状を示した。図２の（ａ）は小さい寸法の磁気肩パッドであり、主に女性に適したサイズである。図２の（ｂ）は大きい寸法の磁気肩パッドであり、主に男性に適したサイズである。
【０００９】
図２の（ａ）、（ｂ）に示したように、本発明の磁気肩パッドは、平面形状において少なくとも３点Ａ，Ｂ，Ｃを含む領域で磁界を形成するように、ゴム質層に混成された磁性体が配置されている。前記３点Ａ，Ｂ，Ｃを含む領域における磁界は、断面形状を示した図３に示したように、磁力線Ｍが装着時における肩の内部に及ぶような磁界を形成するように構成されている。なお、磁力の大きさは特に限定されるものではなく、必要に応じて強弱適宜選択するとよい。
そして、前記３点Ａ，Ｂ，Ｃの相対的な位置は、ＡとＢとの間隔が約10ｃｍ〜約14ｃｍ、ＢとＣとの間隔が約７ｃｍ〜約９ｃｍ、ＣとＡとの間隔が約10ｃｍ〜約14ｃｍ程度とする。
【００１０】
図３に示したように、湾曲状態を保持するように、前述したように形状保持手段としてのステンレス板２が内装されている。このステンレス板２の平面形状は、図３に示したような台形状でもよいが、種々の直線部や曲線部で囲まれた形状とすることができる。また、この形状保持手段としては、形状記憶合金や樹脂板を用いることもできる。
【００１１】
前記磁気肩パッドの点Ａは肩の前方の鎖骨近傍の筋肉疲労をやわらげ、点日Ｂ，Ｃは肩の後方の筋肉疲労をやわらげるような位置に対応している。したがって、少なくとも前記３点Ａ，Ｂ，Ｃを含む領域における磁気治療効果がえられるものであれば、その平面形状や、断面形状、素材などは、図示したものに限定されるものではない。
なお、前記３点Ａ，Ｂ，Ｃは僧帽筋をカバーする領域に対応している。
磁界を形成するための磁性体の磁極は、図４に示したように、磁気肩パッドの裏面から表面へ、もしくは逆方向に並列されたものでも、極性が向かい合うように裏面に沿って交互に並列されたものや、極性が同じ方向を向くように並列されたものでもよい。
【実施例１】
【００１２】
図３に示したように、実施例の磁気肩パッド１は、少なくとも肩に当てる側の面（裏面）から、肩の筋肉に向かう磁力線が出るように磁化されたゴム磁石シートを本体とし、前記本体の裏面にはシリコーン樹脂などの滑り止め素材を粘着素材３として、全面もしくは一部に適宜配設し、前記本体の表面には形状保持部材としてのステンレス板２を重ねて止着し、その表面を違和感のない肌色のカバー材で覆ったものである。
シリコーン樹脂などの滑り止め素材を用いると、粘着剤を用いたシートなどの場合と比較して、装着剤の痕跡が皮膚に残ることがないので快適に使用できる。
【００１３】
また、前記磁気肩パッドの素材、特に、肩に接する側の面には、赤外線を発生するセラミックなどを配設し、また、ゲルマニウム、チタンなどの金属成分を含有させた素材、例えば繊維を用いるとよい。また、商品名「テビロン」などのようなマイナスイオン発生素材を使うとよい。
なお、商品名「テビロン」の特性は、着用時、皮膚との摩擦により、マイナスイオンを発生する特性や、全繊維中最高の保温性や、カラッとした暖かさが得られるように吸湿性がゼロという特性や、難燃性、耐薬品性などである。
【図面の簡単な説明】
【００１４】
【図１】本発明にかかる磁気肩パッドの使用状態の斜視図である。
【図２】前記磁気肩パッドの平面形状を示す平面図である。
【図３】前記磁気肩パッドの使用状態における側面断面形状を示す側面断面図である。
【図４】前記磁気肩パッドにおける磁界の状態を説明する一部拡大断面平面図である。
【符号の説明】
【００１５】
１、１Ｌ  磁気肩パッド
２、２Ｌ  形状保持手段、ステンレス板
３  滑り止め素材、粘着素材
【図１】
2007082899.tif 000003
【図２】
2007082899.tif 000004
【図３】
2007082899.tif 000005
【図４】
2007082899.tif 000006